(57)【要約】  【課題】  浮遊曳航・回航を効率良く実行でき、且つ、コスト的にも有利なＬ型ブロックを得ることを目的とする。  【解決手段】  本発明は上記目的を達成するために岸壁、護岸等に用いられるＬ型ブロック１０であって、該Ｌ型ブロック１０は底板１０ａの両側端部及び縦壁１０ｂの対向側端部近傍上に鋼壁１１，１２が立設されて空間部１３が形成され、且つ、該空間部１３は前記鋼壁１１，１２をシール材にてシールすることにより止水され、且つ、浮遊に必要な体積が確保されることを特徴とするＬ型ブロックを提供する。【選択図】図１
2005344308.tif 000002
【特許請求の範囲】
【請求項１】
岸壁、護岸等に用いられるＬ型ブロックであって、該Ｌ型ブロックは底板の両側端部及び縦壁の対向側端部近傍上に鋼壁が立設されて空間部が形成され、且つ、該空間部は前記鋼壁をシール材にてシールすることにより止水され、且つ、浮遊に必要な容積が確保されることを特徴とするＬ型ブロック。
【請求項２】
上記鋼壁はシール材と共にボルトを用いて取外し可能に立設されていることを特徴とする請求項１記載のＬ型ブロック。
【請求項３】
岸壁、護岸等に用いられるＬ型ブロックであって、該Ｌ型ブロックは底板の両側端部及び縦壁の対向側端部近傍上に鋼壁が立設されて空間部が形成され、且つ、該空間部は前記鋼壁をシール材にてシールすることにより止水され、且つ、浮遊に必要な容積が確保されているＬ型ブロックの前記縦壁の対向側の鋼壁の外側面にバラストタンクが取付けられていることを特徴とするＬ型ブロック。
【請求項４】
上記バラストタンクはボルトを用いて取外し可能に取付けられていることを特徴とする請求項３記載のＬ型ブロック。
【請求項５】
請求項３記載のＬ型ブロックを設置場所まで浮遊させた状態で曳航及び回航させる方法であって、該方法は前記Ｌ型ブロックの縦壁の対向側の鋼壁の外側面に取付けられているバラストタンク内に適量のバラストを充填して該Ｌ型ブロックの浮心と重心とを一致させ、水平曳航及び回航を可能にしたことを特徴とするＬ型ブロックの曳航及び回航方法。
【発明の詳細な説明】
【技術分野】
【０００１】
この発明はＬ型ブロック及び該Ｌ型ブロックの曳航及び回航方法に関するものであり、特に、曳航及び回航時に台船を不要として曳航及び回航コスト並びに据付コストを可及的に低減できるように構成されたＬ型ブロック並びに該Ｌ型ブロックの曳航及び回航方法に関するものである。
【背景技術】
【０００２】
従来汎用されているＬ型ブロックを図９を参照して説明する。同図に於いて、１はＬ型ブロックである。該Ｌ型ブロック１は底板２と該底板２の長手方向一側部に垂直に立設された縦壁３と、該縦壁３と前記底板２との間に架設された鉄骨枠組４とから成る。
【０００３】
而して、上記Ｌ型ブロック１は台船に搭載して曳航・回航されるのであるが、台船への搭載時と据付時に於いて大型起重機船が必要となり、且つ、曳航及び回航時には前述したように台船に搭載して設置場所まで輸送している。
【０００４】
又、ケーソンを台船に搭載することなく設置場所まで曳航及び回航するためのケーソン回航支援装置も知られている（例えば特許文献１参照）。
【０００５】
而して、特許文献１に記載されているケーソン回航支援装置は２隻の浮力台船間にケーソンを載置するための仮置架台が設けられ、そして、該仮置架台上にケーソンを載置して喫水を調整するための架台巻上げウインチが前記浮力台船上に設けられており、該仮置架台上にケーソンが載置された後、前記架台巻上げウインチによって該仮置架台を巻き上げることによりケーソンを引き揚げ、更に、２隻の浮力台船同士を引き寄せると共に該浮力台船の側面に設けられているバルーンに圧力空気を入気して該バルーンにてケーソンを押圧して固定することにより、該ケーソンが浮力台船間に挟持固定された状態で該ケーソンが設置場所まで曳航・回航されるのである。
【特許文献１】特開２００３−３４８０号公報
【発明の開示】
【発明が解決しようとする課題】
【０００６】
上記汎用の従来例のＬ型ブロックは台船搭載時と据付時の２回、大型起重機船が必要であり、又、曳航・回航時には台船へ搭載して設置場所まで輸送しなければならない。従って、該Ｌ型ブロックの進水・据付及び輸送コストが大となると云う問題がある。
【０００７】
又、前記特許文献１記載のケーソン回航支援装置は２隻の浮力台船と、ケーソンを仮置するためのケーソン仮置台及び該ケーソン仮置台を昇降させるためのウインチ及び２隻の浮力台船を引き寄せて双方の浮力台船間にケーソンを挟持させるためのウインチ並びに該浮力台船の側面に夫々設けられ、圧力空気の注入にて膨拡し、そして、ケーソンを固定するためのバルーン及び該バルーンに圧入される圧力空気を生成するための空気圧縮機等の多くの専用部材が必要となる。従って、極めてコスト高となると云う不都合が存在する。
【０００８】
そこで、上記夫々の欠陥に鑑み、之等欠陥を克服すべくＬ型ブロックの浮遊曳航・回航を効率良く実行でき、且つ、コスト的にも有利なＬ型ブロック及び該Ｌ型ブロックの曳航及び回航方法を提供するために解決せられるべき技術的課題が生じてくるのであり、本発明は該課題を解決することを目的とする。
【課題を解決するための手段】
【０００９】
本発明の請求項１記載の発明は岸壁、護岸等に用いられるＬ型ブロックであって、該Ｌ型ブロックは底板の両側端部及び縦壁の対向側端部近傍上に鋼壁が立設されて空間部が形成され、且つ、該空間部は前記鋼壁をシール材にてシールすることにより止水され、且つ、浮遊に必要な容積が確保されるＬ型ブロックを提供するものである。
【００１０】
この構成によれば、Ｌ型ブロックは左右両側端部に立設された鋼壁及び縦壁の対向側端部近傍上に立設された鋼壁並びに底板の一側に立設されている縦壁とによって空間部が形成される。而も、該空間部は前記鋼壁をシール材にてシールすることによって止水されるので、該Ｌ型ブロックは浮遊して曳航及び回航するための必要な空間的容積が確保される。
【００１１】
次に、請求項２記載の発明は上記鋼壁はシール材と共にボルトを用いて取外し可能に立設されている請求項１記載のＬ型ブロックを提供するものである。
【００１２】
この構成によれば、上記各鋼壁はシール材を介してボルト結合にて構築されており、そして、該ボルトを弛緩することにより該鋼壁はシール材と共にＬ型ブロックから取外されることができる。
【００１３】
更に又、請求項３記載の発明は岸壁、護岸等に用いられるＬ型ブロックであって、該Ｌ型ブロックは底板の両側端部及び縦壁の対向側端部近傍上に鋼壁が立設されて空間部が形成され、且つ、該空間部は前記鋼壁をシール材にてシールすることにより止水され、且つ、浮遊に必要な容積が確保されているＬ型ブロックの前記縦壁の対向側の鋼壁の外側面にバラストタンクが取付けられているＬ型ブロックを提供するものである。
【００１４】
この構成によれば、請求項１記載の発明の縦壁の対向側の鋼壁の外側面にバラストタンクが取付けられているので、Ｌ型ブロックを浮遊させるとき、該Ｌ型ブロックの浮心と重心とを一致させるべく該バラストタンク内に適量のバラストを収容する。
【００１５】
又、請求項４記載の発明は上記バラストタンクはボルトを用いて取外し可能に取付けられている請求項３記載のＬ型ブロックを提供するものである。
【００１６】
この構成によれば、バラストタンクはボルトにて縦壁の対向側の鋼壁の外側面に取付けられているので、該ボルトを弛緩することにより該バラストタンクは前記縦壁の対向側の鋼壁より取外される。
【００１７】
更に又、請求項５記載の発明は請求項３記載のＬ型ブロックを設置場所まで浮遊させた状態で曳航及び回航させる方法であって、該方法は前記Ｌ型ブロックの縦壁の対向側の鋼壁の外側面に取付けられているバラストタンク内に適量のバラストを充填して該Ｌ型ブロックの浮心と重心とを一致させ、水平曳航及び回航を可能にしたＬ型ブロックの曳航及び回航方法を提供するものである。
【００１８】
この構成によれば、Ｌ型ブロックの縦壁の対向側にバラストタンクが取付けられているので、該Ｌ型ブロックを浮遊させるとき、該Ｌ型ブロックの浮心と重心とを一致させるために該バラストタンク内に適量の水、砂利等のバラストを充填する。然るときは、該Ｌ型ブロックに形成されている空間部によって該Ｌ型ブロックは浮遊した状態で引船にて水平曳航及び回航させることができる。
【発明の効果】
【００１９】
請求項１記載の発明は、Ｌ型ブロックの両側端部及び縦壁の対向側端部近傍上に鋼壁がシール材にてシールされて立設されているので、之等３面の鋼壁並びにＬ型ブロックの長
手方向一側部に立設されている縦壁及び底板とによって空間部が形成される。而も、該空間部はＬ型ブロックを浮遊させるに必要な容積を有するので、該Ｌ型ブロックを設置場所まで曳航及び回航させるとき台船上に搭載する必要がなくなり、浮遊させた状態で引船にて設置場所まで曳航及び回航することができる。
【００２０】
更に又、請求項１記載の発明のＬ型ブロックは台船への搭載が不要であるから大型起重機船は着水時の１回だけ用いられるのみであり、従って、曳航・回航コスト及び据付コストを大巾に節減することが可能となる。
【００２１】
次に、請求項２記載の発明は、請求項１記載の発明の各鋼壁はシール材と共にボルトによって取外し自在に取付けられているので、請求項１記載の発明の効果に加え前記鋼壁の取付け取外し操作が簡便に実行できる。従って、据付け時にはＬ型ブロックの上記空間部に海水を投入して着底させ、そして、現地据付けの完了後に、潜水士が前記ボルトを弛緩して前記鋼壁をＬ型ブロックより容易に取外すことができる。又、該Ｌ型ブロックから前記鋼壁を取外せば他のＬ型ブロック用として再使用することができるので取外された前記鋼壁の反覆使用も可能となる。
【００２２】
更に又、請求項３記載の発明は、請求項１記載の発明の背面側鋼壁の外側面にバラストタンクが取付けられているので、上記請求項１記載の発明の効果に加え、Ｌ型ブロックを設置場所まで曳航及び回航して輸送する際には、前記バラストタンク内へ水、砂利等のバラストを適量充填し、そして、前面側が重いＬ型ブロックの浮心と重心とを一致させることにより、該Ｌ型ブロックを略水平浮遊の状態でバランス良く曳航・回航することが可能となった。
【００２３】
又、請求項４記載の発明は、請求項３記載のＬ型ブロックの縦壁の対向側の鋼壁の外側面に取付けられているバラストタンクはボルトにて取外し自在に取付けられているので、請求項３記載の発明の効果に加え、該Ｌ型ブロックの現地設置完了後は、潜水士が前記ボルトを弛緩して該バラストタンクを前記縦壁の対向側の鋼壁より容易に取外すことができる。従って、取外された該バラストタンクは反覆使用に供することができる。
【００２４】
更に又、請求項５記載の発明は、請求項３記載の発明のＬ型ブロックを設置場所まで浮遊させた状態で曳航・回航させる方法の発明に関するものであるが、該Ｌ型ブロックを曳航・回航する際には、該Ｌ型ブロックの縦壁の対向側に取付けられているバラストタンク内に水等のバラストを適量充填し、そして、前面側の重いＬ型ブロックの浮心と重心とを一致させる。然るときは、該Ｌ型ブロックは略水平浮遊状態で設置場所まで曳航・回航することができるので、上記請求項１記載の発明並びに請求項３記載の発明と同様の効果を奏することができる。
【発明を実施するための最良の形態】
【００２５】
本発明はＬ型ブロックを曳航・回航して設置場所まで輸送するとき、台船に搭載することなく浮遊させた状態で円滑に設置場所まで輸送するために、Ｌ型ブロックの底板の両側端部及び縦壁の対向側端部近傍上に鋼壁を立設して止水された空間部を形成し、更に、前記縦壁の対向側の鋼壁の外側面にバラストタンクを設け、該バラストタンク内に適量のバラストを充填してＬ型ブロックの浮心と重心とを一致させることができるように構成したことにより実現した。
【実施例】
【００２６】
以下、本発明の一実施例を図１乃至図８に従って詳述する。図１乃至図４に於いて１０はＬ型ブロックである。該Ｌ型ブロック１０はコンクリート製の底板１０ａと、該底板１０ａの長手方向一側部及び幅方向の一部に及んで立設された縦壁１０ｂと、該底板１０ａ
と縦壁１０ｂとの間に架設された鉄骨枠組１０ｃとから成る。
【００２７】
而して、前記Ｌ型ブロック１０の底板１０ａの巾方向両側端部（図１に於いて左右両側端部）には側面部鋼壁１１，１１が対峙して立設され、更に、図２に於いて、底板１０ａ右側（以下背面と称す）端部近傍にも前記側面部鋼壁１１，１１と同一高さを有する背面側鋼壁１２が立設され、そして、前記縦壁１０ｂと、側面部鋼壁１１，１１並びに背面側鋼壁１２及び底板１０ａとによって囲繞される空間部１３が形成される。而も、該空間部１３はＬ型ブロック１０を浮遊させて曳航及び回航させるとき、この浮遊に必要且つ、充分な容積を有するように形成される。
【００２８】
又、前記背面側鋼壁１２の外側面には各鋼壁１１，１２と同一高さを有するバラストタンク１４が取付けられている。而して、之等各鋼壁１１，１２及びバラストタンク１４は夫々ボルト１５，１５…によって取付けられるのであるが、この取付手段を図５乃至図８に従って説明する。
【００２９】
図５は図１及び図４における円（イ）内の拡大断面図である。同図に於いて１６はＨ型鋼である。同図に於けるＨ型鋼は前記底板１０ａの前後方向の左右端部の上縁部に沿ってずれ止め２１，２１…にて固定されており、更に、該Ｈ型鋼１６，１６上面に沿ってアングル鋼１７，１７の一辺がボルト１５，１５…にて固定され、そして、該アングル鋼１７，１７の他辺１７ａ，１７ａに前記側面部鋼壁１１，１１の下端部がボルト１５，１５…にて固設されて左右の側面部鋼壁１１，１１が底板１０ａの左右端部上縁部に立設される。
【００３０】
このとき、上記アングル鋼１７，１７の他辺１７ａの外側面と前記側面部鋼壁１１との間にゴム１８を介装して該アングル鋼１７，１７と側面部鋼壁１１，１１とをシールすることにより、海水が該側面部鋼壁１１，１１から内部に侵入しないように構築される。
【００３１】
次に、図４の円（ロ）内を拡大断面した図６に従って説明する。同図に於いて、前記バラストタンク１４は底板１０ａの後端部に沿って立設される。そこで、該底板１０ａの後端部に沿って前記Ｈ型鋼１６がずれ止め２１，２１…にて固定されており、更に、水平方向に延設固定されている該Ｈ型鋼１６上面に該Ｈ型鋼１６に沿ってアングル鋼１７がボルト１５，１５…にて固定され、更に、該アングル鋼１７上にボルト１５，１５…にて前記バラストタンク１４が固定される。
【００３２】
尚、上記ずれ止め２１はコンクリート中に埋設したボルト状の部材であって、該ずれ止め２１の上面とＨ型鋼１６とを溶接にて一体化するものである。
【００３３】
更に、前記アングル鋼１７の他辺１７ａ外側面と底板１０ａの外側面との間にシール板１９を架設し、且つ、該シール板１９はゴム１８，１８を夫々介装してボルト１５，１５…にて前記アングル鋼１７及び底板１０ａに固定されている。
【００３４】
次に、図１の円（ハ）内を拡大平断面した図７及び円（ニ）内を拡大平断面した図８に従って同時に説明する。図７に於いて、バラストタンク１４の右側端部前面の縦方向及び、図８に於いて底板１０ａの一側部に立設された縦壁１０ｂの外側面から後方へ突設されている突壁の後端面の縦方向に沿ってアングル鋼１７，１７が夫々ボルト１５，１５…にて固定されており、そして、図７のバラストタンク１４側及び図８の突壁側の各アングル鋼１７，１７間に側面部鋼壁１１がボルト１５，１５…若しくは溶接にて固定されている。
【００３５】
このとき、図７の鋼壁１１側に於いては同図に於いて前記アングル鋼１７の他辺１７ａ
の左右に夫々ゴム１８，１８を介装し、且つ、最外面に前記シール板１９の一端部を当接し、そして、前記ボルト１５，１５…にて前記アングル鋼１７及びゴム１８，１８並びにシール板１９を一体的に固定して止水している。又、図示例では前記側面部鋼壁１１はチャンネル鋼を用いているが、之に限定せられるべきではない。
【００３６】
又、図７に於いて、チャンネル鋼若しくはアングル鋼で形成された前記側面部鋼壁１１の内側面（図７に於いて左方）、且つ、前記バラストタンク１４の前方であって、底板１０ａの左右長手方向側縁部に沿って設置されているＨ型鋼１６（図示せず）上にボルト１５，１５…にて固定されたアングル鋼１７が設置されており、そして、該アングル鋼１７の他辺１７ａに前記背面側鋼壁１２の下端部がボルト１５，１５…にて固定されて、該背面側鋼壁１２が底板１０ａの後端部近傍に立設される。
【００３７】
本発明の一実施例は上述する如き構成に係るので、底板１０ａ上に立設された左右の側面側鋼壁１１，１１と背面側鋼壁１２並びに、底板１０ａ及び該底板１０ａの一側に立設されている縦壁１０ｂとによって前記空間部１３が形成される。而も、該空間部１３はゴム１８及びシール板１９によって止水されており、且つ、Ｌ型ブロック１０を浮遊させて曳航及び回航させるに充分な体積を有している。
【００３８】
更に、前記背面側鋼壁１２の後側面にはバラストタンク１４が取付けられているので、該バラストタンク１４内に適量のバラスト（主として水）を充填することによりＬ型ブロック１０の浮心と重心とを一致させることができ、依って、該Ｌ型ブロック１０が浮遊して曳航及び回航するに際し、バランス良くＬ型ブロック１０を略水平状態に維持し乍ら設置場所まで曳航及び回航させることができる。
【００３９】
尚、前記実施例では、底板１０ａ上に立設された左右の側面側鋼壁１１,１１と背面側鋼壁１２並びに底板１０ａ及び該底板１０ａの一側に立設される縦壁１０ｂとによつて５面を囲い上面開放の空間部１３を形成した場合について例示したが、該空間部１３はその上面開放部を蓋装して内部に前記空間部１３を有する立方体状に形成されてもよい。この場合、上面も閉塞されているので、例えば、高波時等に曳航する場合にも該空間部１３内に浸水する虞れがない。
【００４０】
而して、上記各鋼壁１１，１２及びバラストタンク１４はボルト１５，１５…を弛緩することにより該Ｌ型ブロック１０より取外すことができるので、該Ｌ型ブロック１０を所定位置に設置した後は、各鋼壁１１，１２及びバラストタンク１４を取外して引き揚げることができる。然るときは、之等各鋼壁１１，１２及びバラストタンク１４は反覆利用に供することが可能となる。
【００４１】
尚、之等鋼壁１１，１２及びバラストタンク１４の引き揚げはＬ型ブロック１０の据付け時に用いた小型の起重機によって行うことができる。
【００４２】
又、前記各鋼壁１１，１２及びバラストタンク１４は任意に取外すことができるので取外された本発明のＬ型ブロック１０は他のＬ型ブロックに転用することもできる。斯くして、本発明のＬ型ブロック１０の製作数は、工費及び工期に最適な数量とすることもできる。
【００４３】
尚、本発明の各鋼壁のボルトによる取付手段は前記実施例に限定されることがなく、任意の取付構成を有することもできる。
【００４４】
又、本発明は、本発明の精神を逸脱しない限り種々の改変を為すことができ、そして、本発明が該改変されたものに及ぶことは当然である。
【図面の簡単な説明】
【００４５】
【図１】本発明の一実施例を示し、Ｌ型ブロックの平面図。
【図２】図の左側面図。
【図３】図１のバラストタンクを外した状態を示す背面図。
【図４】図１のＡ−Ａ線断面図。
【図５】図１及び図４の円（イ）内の拡大断面図。
【図６】図４の円（ロ）内の拡大縦断面図。
【図７】図１の円（ハ）内の拡大平断面図。
【図８】図１の円（ニ）内の拡大平断面図。
【図９】従来汎用されているＬ型ブロックの斜視図。
【符号の説明】
【００４６】
１０        Ｌ型ブロック
１０ａ      底板
１０ｂ      縦壁
１０ｃ      鉄骨枠組        
１１        側面部鋼壁
１２        背面側鋼壁
１３        空間部
１４        バラストタンク
１５        ボルト
１６        Ｈ型鋼
１７        アングル鋼
１８        ゴム
１９        シール板
２０        チャネル鋼
２１        ずれ止め
【図１】
2005344308.tif 000003
【図２】
2005344308.tif 000004
【図３】
2005344308.tif 000005
【図４】
2005344308.tif 000006
【図５】
2005344308.tif 000007
【図６】
2005344308.tif 000008
【図７】
2005344308.tif 000009
【図８】
2005344308.tif 000010
【図９】
2005344308.tif 000011